(57)【要約】【課題】本発明は、プラスチック製単位部材を使用する利点とコンクリートを使用する利点を合わせた槽の提案にある。【解決手段】地下に埋設する槽であって、当該槽は、強度を有する材質で構成した側壁部と、端部に切り欠きを有する平板と当該平板に開口し突出する筒部からなるテーブル状単位部材と、端部を切り欠いた強度を有する平板状単位部材と、天井部材とからなり、前記側壁部内側にテーブル状単位部材を配列した層を形成し、平面状単位部材をテーブル状単位部材層の上にテーブル状単位部材で支持して水平に配列した梁部を形成し、当該梁部で側壁にかかる水平土圧を支え、前記層と梁部に形成される孔部を天井部材で覆う強度を有する材質で構成された側壁を有する槽である。【選択図】図1
2007085115.tif 000002
【特許請求の範囲】
【請求項１】
地下に埋設する槽であって、当該槽は、強度を有する材質で構成した側壁部と、端部に切り欠きを有する平板と当該平板に開口し突出する筒部からなるテーブル状単位部材と、端部を切り欠いた強度を有する平板状単位部材と、天井部材とからなり、前記側壁部内側にテーブル状単位部材を配列した層を形成し、平面状単位部材をテーブル状単位部材層の上にテーブル状単位部材で支持して水平に配列した梁部を形成し、当該梁部で側壁にかかる水平土圧を支え、前記層と梁部に形成される孔部を天井部材で覆うことを特徴とする強度を有する材質で構成された側壁を有する槽。
【請求項２】
地下に埋設する槽であって、当該槽は、強度を有する材質で構成した側壁部と、端部に切り欠きを有する1ないし複数の強度を有する平板部と当該平板を貫通する筒からなる形状を構成する配列部材と、天井部材からなり、前記側壁部内側に配列部材を平板部が水平な梁を構成するよう配列し配列部材の配列によって生じる孔部を天井部材で覆うことを特徴とする強度を有する材質で構成された側壁を有する槽。
【発明の詳細な説明】
【技術分野】
【０００１】
本発明は、雨水等の貯留浸透に関わる槽の構築技術に属する。
【背景技術】
【０００２】
雨水の流出抑制あるいは有効利用を目的とする地下に埋設する貯留・浸透槽はプラスチックの単位部材を配列し、貯留空間を確保しその周囲を適切なシート類で覆ったもの、ボックスカルバートによるものあるいはコンクリート打ちのもの等各種のものが提案かつ使用されている。プラスチックの単位部材を使用する例は、特開平9-112792、特開平10-252108、特開平11-222886など各種提案されている。またコンクリート製のボックスカルバートを使用する貯留浸透槽は特開平07-166595に提案されている。
プラスチック単位部材を使用する槽は重機を使用しないで短工期で施工が可能であるが、高深度の垂直土圧、水平土圧の大きな場所にはその強度上使用しがたい問題がある。一方コンクリート製の槽は強度的に問題はないが、重機を使用しなければならないとか工期が長くなる等の問題点がある。
【０００３】
【特許文献１】特開平9-112792
【特許文献２】特開平10-252108
【特許文献３】特開平11-22288
【特許文献４】特開平07-166595
【発明の開示】
【発明が解決しようとする課題】
【０００４】
本発明は、プラスチック製単位部材を使用する利点とコンクリートを使用する利点を合わせた槽の提案にある。
【課題を解決するための手段】
【０００５】
本第1の発明は、地下に埋設する槽であって、当該槽は、強度を有する材質で構成した側壁部と、端部に切り欠きを有する平板と当該平板に開口し突出する筒部からなるテーブル状単位部材と、端部を切り欠いた強度を有する平板状単位部材と、天井部材とからなり、前記側壁部内側にテーブル状単位部材を配列した層を形成し、平面状単位部材をテーブル状単位部材層の上にテーブル状単位部材で支持して水平に配列した梁部を形成し、当該梁部で側壁にかかる水平土圧を支え、前記層と梁部に形成される孔部を天井部材で覆う強度を有する材質で構成された側壁を有する槽である。平板状単位部材を平板状に配列し水平の梁状とすることで擁壁に掛かる水平土圧を支えている。テーブル状単位部材で平板状単位部材からなる梁を槽の側壁間に渡すよう支えている。
本第２の発明は、地下に埋設する槽であって、当該槽は、強度を有する材質で構成した側壁部と、端部に切り欠きを有する1ないし複数の強度を有する平板部と当該平板を貫通する筒からなる形状を構成する配列部材と、天井部材からなり、前記側壁部内側に配列部材を平板部が水平な梁を構成するよう配列し配列部材の配列によって生じる孔部を天井部材で覆う強度を有する材質で構成された側壁を有する槽である。
いずれの発明も事前に用意された単位部材を配列することで工期を短縮している。
【発明の効果】
【０００６】
本第１の発明は、強度を有するコンクリートあるいは鋼板の側壁を有する槽の内部にテーブル状単位部材を配列した層の上に強度を有するコンクリートあるいは鋼製の平板状単位部材を梁状に配列した層を並べたため、水平土圧は側壁と平板状単位部材からなる梁層で支えられ、その梁はテーブル状単位部材の層で支えられる。単位部材を配列することで水平梁を形成するため工期の短縮が図られる。
本第２の発明は、配列部材を単位部材として事前に用意し、槽内に配列するため工期の短縮が図れる。
槽に掛かる水平土圧を側壁部と梁状に配列された平板部で受けることができる。
いずれの発明も、単位部材を組み合わせることで浸透槽あるいは貯留槽を構成する。特に貯留槽の場合その遮水はコンクリート槽に合っては極めて困難であるが、底部、側壁内周に沿って遮水シートを張り巡らすことで簡単に実施可能である。
【発明を実施するための最良の形態】
【０００７】
以下本第1の発明を図により詳細に説明する。
図1は、本発明の地下に埋設された強度を有する材質で構成された側壁を有する槽の断面および平面を示す概念図である。
断面図に示したとおり、本槽はその周囲側壁がコンクリート製で、側壁で区画された槽内にその底部にテーブル状単位部材を配列し第1層を形成する。その上部にコンクリート製の平板状単位部材を水平な梁となるように配列させる。槽に掛かる水平土圧を側壁とコンクリート製の平板状単位部材を水平に並べた梁で支える。テーブル状単位部材は、図２に示すように正方形の端部4箇所が切り欠かれた平板部とその平板部に開口する円筒からなる部材から形成されている。この平板部の元の形状は正方形に限らず矩形、ひし形など、平面状に隙間なく配列できる形状ならよい。円筒の形状もテーパを設け開口部からその先端に向け狭くなるような形状とし、入れ子状に積み重ね可能な形とするのが好ましい。円筒に限らず角筒など他の形状であってもよい。
コンクリート製の平板状単位部材の形状もテーブル状単位部材の部材の平板部と対応した形状であることが好ましい。またその材質もコンクリートに限らずステンレススチール等の金属製でも良い。
天井部材も図１の平面図に示す穴部を覆い上の土圧に耐える材質であればよい。その大きさも天井部全体を覆うものであっても、小さい単位部材を並べることで覆うものであっても良い。
側壁も強度が十分得られる材質のものならコンクリート製であっても矢板、鋼板等金属製であってもよい。また一体的に構成されず、部材を組み合わせることで側壁部を構成するようにしても良い。
【０００８】
図1では、テーブル状単位部材の層と平板状単位部材の層が各5層となっているが、槽の容量、要求される強度に応じてそれぞれの層の数を変えることができる。
本図では槽は浸透槽として、その底部は路盤であり、その上にテーブル状単位部材を配列している。
貯留を目的とする槽なら底部もコンクリート基礎あるいは槽の底面側面をその内壁に沿って遮水性のシートを配設する。
【０００９】
図２はテーブル状単位部材と平板状単位部材を配列する際の状態を示している。図ではテーブル状単位部材を、その筒部同士を突き合わせて配列し、その上部にテーブル状単位部材の平板部と同一形状の平板状単位部材を配置する状態を示している。貯留あるいは浸透の目的に限らず、水の流れが滞らないよう、各平板部、平板状単位部材には透孔を設けることも適宜行うこともできる。筒部同士を付き合わせる際の便宜のため、筒部に契合用のオスメスの継ぎ手を設けることも適宜行うことができる。また必要に応じ、筒部内への水の流出入を不都合なく行うため筒部端部あるいは平板状部との継ぎ目に強度を損なわない範囲の透孔を設けておくこともできる。
【００１０】
テーブル状単位部材の平板部の形状と平板状単位部材の形状は同一であることが施工配列するうえでは好ましいが、芯の位置が対応し、それぞれの端部が切り欠かれていればその形状は同一である必要がない。切り込みは貯留あるいは浸透を目的として貯留する水が自由に槽内に流入できるようになっていればよい。
【００１１】
また図３に示すように槽内に管理用あるいは点検用の通路を設けることも適宜実施できる。
【００１２】
テーブル状単位部材の材質は熱可塑性プラスチック製、コンクリート製あるいは金属製であってもよい。水に触れて安定な材質で必要な強度を有する材質であればよい。
平板状単位部材の材質も金属製、コンクリート製等、梁として水平強度を側壁と共に支えられる強度を有する材質であればよい。
側壁もコンクリート製、鋼板などあるいは必要な強度を有する材質であればよく、現場でコンクリート打ちによっても工場で成形した資材を組み立てるものであってもよい。
【００１３】
以下本第２の発明につき図を用いて説明する。
図４は、本第２の発明を示す概念図である。図に示すように、槽内に円筒に複数の平板部がもうけられた配列部材が配列され、配列された時に、各所定位置に設けられた平板部が水平な梁を形成するように上下に配置されている。平板部は正方形でその端部が切り欠かれ、内部に水が流通可能となっている。各平板部は水平に配列され、水平な梁を形成し、槽側壁と共に槽に掛かる水平土圧を支える。
第１の発明と同様、貯留を目的とする場合の遮水シートは槽壁の内側面、底面に配設する。
図５は、本槽内に配列する端部に切り欠きを有する1ないし複数の平板部と当該平板部を貫通する筒からなる形状を構成する配列部材の一例を示す概念図である。図では円筒に十字形の板が４枚固定されている。図６に図５に示した配列部材の構成が示されている。図のａは円筒の平面断面を、ｂは側断面を示し、ｃは平板部を示している。図では円筒の外表面に垂直に対称となる位置に縦溝が設けられている。また縦溝の途中に平板部を水平方向に円筒の軸に沿って回転させることで平板が固定できるよう水平溝が切られている。平板部には円筒に設けた縦溝に契合する凸出部が設けられ、平板部は縦溝に沿って上から下に移動し、縦溝の途中に設けられた水平溝に沿って回転させ固定させる。この配列部材を平板部がその凸部をつき合わさるように配列する。水平溝の幅を平板部の厚みの２倍に設定すること平板部が互いに干渉することなく配列がかのうとなる。縦溝は一本であっても、平板部を対応する形状とすることでよい。
【００１４】
図７は別の配列部材を構成する部材とその配列部材を配列した状態を示している。
図に示すとおり、円筒の両端に十字形の平板部が設けられている配列部材を示している。この配列部材を平板部がその凸部をつき合わさるように配列することは上記と同じである。
【００１５】
図８には上記とは別の配列部材を構成する部材とその配列部材を配列した状態を示している。
図に示すとおり、配列部材は円筒の中央に十字形の平板部が設けられている。この配列部材を平板部がその凸部をつき合わさるように配列することは上記と同じである。
【００１６】
上記配列部材は必要に応じ垂直方向に契合できるよう図９に示すように契合部を設けておくことができる。図２、図５、図７に示した配列部材に於いても同様である。
【００１７】
上記配列部材を第1の発明と同じように側壁内に配列し、配列部材の平板部切り欠きによる孔部を天井部材で覆い槽とする。あるいは配列部材を配列した後その周囲に側壁を設けても差し支えなく、第1の発明に於いても同様である。平板部の形状、筒部の形状またそれら部材の材質など第1の発明で示したように必要に応じて適宜選択が可能である。図３に示す管理用通路も同じように設置可能である。いずれの発明において、側壁はボックスカルバートのようなコンクリート製の筒で構成してもよい。
【図面の簡単な説明】
【００１８】
【図１】本第１の発明の概念図を示す。
【図２】本第１の発明に使用する単位部材同士の配列状態を示す概念図である。
【図３】本第１の発明における他の概念図を示す。
【図４】本第２の発明の一例を示す概念図である。
【図５】本第２の発明に使用する配列部材の配列を示す概念図を示す。
【図６】図５の配列部材の構成を示す図である。
【図７】配列部材を構成する部材と配列状態を示す図である。
【図８】配列部材を構成する他の部材と配列状態を示す図である。
【図９】配列部材の契合部を示す概念図である。
【符号の説明】
【００１９】
１  槽
２  テーブル状単位部材
３  平板状単位部材
４  平板部
５  天井部材
６  側壁
７  通路
８  配列部材
９  配列部材を構成する部材
１０  縦溝
１１  水平溝
１２  契合部
【図１】
2007085115.tif 000003
【図２】
2007085115.tif 000004
【図３】
2007085115.tif 000005
【図４】
2007085115.tif 000006
【図５】
2007085115.tif 000007
【図６】
2007085115.tif 000008
【図７】
2007085115.tif 000009
【図８】
2007085115.tif 000010
【図９】
2007085115.tif 000011